(57)【特許請求の範囲】
【請求項１】
生産された苗を養生または貯蔵する苗貯蔵装置において、苗の上方への生長を抑制すべく、苗の側方より光を照射するように構成した苗貯蔵装置であって、
チューブ乃至ロッド状に長手方向に延び、その一端より光源から入射された光を他端まで反射伝達させ、全長にわたって少なくとも一半径方向より発光する発光体と、
板状に成形され、その一側端縁から入射された光を表裏面の少なくとも一面からほぼ均一に拡散させて、外部に照射する導光板とを備え、
前記導光板の一側端縁に前記発光体の発光部位側を沿わせた状態で固定し、前記導光板の光照射面を、苗を植えたトレイの側方に配設し、
前記導光板自体に、苗を植えたトレイを支持するための受け具を設けたことを特徴とする苗貯蔵装置。
【請求項２】
生産された苗を養生または貯蔵する苗貯蔵装置において、苗の上方への生長を抑制すべく、苗の側方より光を照射する苗貯蔵装置であって、
チューブ乃至ロッド状に長手方向に延び、その一端より光源から入射された光を他端まで反射伝達させ、他端より一方向に照射する発光体と、
板状に成形され、その一端側から入射された光を表裏面の少なくとも一方の全域にわたってほぼ均一に拡散させて、外部に照射する導光板とを備え、
前記導光板の少なくとも一側端縁に、導光板内側に中央がくぼむ少なくとも１個の入射凹部を形成し、該入射凹部に前記発光体の他端を対向させた状態で固定し、前記導光板の光照射面を、苗を植えたトレイの側方に配設し、
前記導光板自体に、苗を植えたトレイを支持するための受け具を設けたことを特徴とする苗貯蔵装置。
【請求項３】
前記導光板は、その表裏面の双方の全域にわたって外部に光を照射し、
前記導光板の表裏面にそれぞれ前記受け具を設け、
前記導光板の表裏面側方にそれぞれ前記トレイを支持したことを特徴とする請求項１または２記載の苗貯蔵装置。
【発明の詳細な説明】
【０００１】
【発明の属する技術分野】
本発明は、生産された苗を養生または貯蔵する苗貯蔵装置において、苗の上方への生長を抑制すべく、苗の側方より光を照射するように構成した苗貯蔵装置に関する。
【０００２】
【従来の技術】
種苗生産の分野において、接木苗を大量生産する装置は種々開発されているが、一般に苗の需要期は比較的短いために、苗の貯蔵や流通面から生産量に対する制約があった。そのため、苗の大量生産化に伴って、生産した接木苗を養生し、健全な状態で長期間貯蔵できるような苗貯蔵装置の重要性も高まってきている。
【０００３】
また、苗の大量生産や流通を考慮すれば、小さい苗の方が扱いやすく好都合であり、そのためには、苗の生長活性をある程度抑制することが有効な方法となる。かかる方法を実現する従来からある苗貯蔵装置は、生産された苗を低温および弱照明下に置いて生長抑制するものであった。
【０００４】
また、培養苗の育苗装置では、特に幼苗の徒長を抑えるために、苗に対してその上方からではなく、図１０に示すように、幼苗の側方から生育に必要な光を照射する構成が提案されている。具体的には、直径１ｍｍ程度の拡散性光ファイバ１を、反射フィルム２の表面上に多数平行に張り付けて拡散性ファイバベルト３を形成し、このベルト３を、幼苗を植えた培養器４などの側方に配設していた。
【０００５】
【発明が解決しようとする課題】
しかしながら、前述したような従来の育苗装置を苗貯蔵装置に適用する場合は、広い面積を照射するには、多数の光ファイバ１が必要となり、コストが嵩むという問題があった。また、光ファイバ１で形成したベルト３を、所定の状態に保持するための架台が必要であり、装置の大型化や複雑化を招くという問題もあった。
【０００６】
また、図１０に示すように、一対のベルト３，３間に培養器４を挟み込むように配置させた場合、培養器４の出し入れの際に、培養器４がベルト３表面を成す光ファイバ１に引っかかったり、傷付ける虞がある。そのため、培養器４の出し入れは、細心の注意をはらって慎重に行わなければならず、使い勝手が良くないという不都合があった。
【０００７】
さらに、直径１ｍｍ程度の細い光ファイバ１では、ある程度の長さを要する場合には、ベルト３の両端から光を入射させる必要があり、図１０に示すように、光源５が２つ必要となりコストアップの要因となっていた。あるいは、ベルト３の両端を一つの光源５に接続するように配設すると、無駄なスペースが生じてしまい実用的ではなかった。
【０００８】
本発明は、以上のような従来技術が有する問題点に着目してなされたもので、全体構造が簡易かつ容易となってコストを低減することができ、光を照射する構成自体に剛性を持たせることができ、光源から入射される光を効率よく苗の側方へ照射することが可能な苗貯蔵装置を提供することを目的としている。
【０００９】
【課題を解決するための手段】
前述した目的を達成するための本発明の要旨とするところは、以下の各項に存する。
［１］生産された苗を養生または貯蔵する苗貯蔵装置（１０）において、苗の上方への生長を抑制すべく、苗の側方より光を照射するように構成した苗貯蔵装置（１０）であって、
チューブ乃至ロッド状に長手方向に延び、その一端より光源から入射された光を他端まで反射伝達させ、全長にわたって少なくとも一半径方向より発光する発光体（４１）と、
板状に成形され、その一側端縁（５１ａ）から入射された光を表裏面の少なくとも一面からほぼ均一に拡散させて、外部に照射する導光板（５１）とを備え、
前記導光板（５１）の一側端縁（５１ａ）に前記発光体（４１）の発光部位（４１ａ）側を沿わせた状態で固定し、前記導光板（５１）の光照射面（５１ｂ）を、苗を植えたトレイの側方に配設し、
前記導光板（５１Ｂ）自体に、苗を植えたトレイを支持するための受け具（２０）を設けたことを特徴とする苗貯蔵装置（１０）。
【００１０】
［２］生産された苗を養生または貯蔵する苗貯蔵装置（１０）において、苗の上方への生長を抑制すべく、苗の側方より光を照射する苗貯蔵装置（１０）であって、
チューブ乃至ロッド状に長手方向に延び、その一端より光源から入射された光を他端まで反射伝達させ、他端（４５）より一方向に照射する発光体（４１Ａ）と、
板状に成形され、その一端側から入射された光を表裏面の少なくとも一方の全域にわたってほぼ均一に拡散させて、外部に照射する導光板（５１Ａ）とを備え、
前記導光板（５１Ａ）の少なくとも一側端縁（５１ａ）に、導光板（５１Ａ）内側に中央がくぼむ少なくとも１個の入射凹部（５６）を形成し、該入射凹部（５６）に前記発光体（４１Ａ）の他端を対向させた状態で固定し、前記導光板（５１Ａ）の光照射面（５１ｂ）を、苗を植えたトレイの側方に配設し、
前記導光板（５１Ｂ）自体に、苗を植えたトレイを支持するための受け具（２０）を設けたことを特徴とする苗貯蔵装置（１０）。
【００１２】
［３］前記導光板（５１Ｂ）は、その表裏面の双方の全域にわたって外部に光を照射し、
前記導光板（５１Ｂ）の表裏面にそれぞれ前記受け具（２０）を設け、
前記導光板（５１Ｂ）の表裏面側方にそれぞれ前記トレイを支持したことを特徴とする［１］または［２］記載の苗貯蔵装置（１０）。
【００１３】
次に前述した解決手段に基づく作用を説明する。
［１］記載の苗貯蔵装置（１０）によれば、チューブ乃至ロッド状に長手方向に延びる発光体（４１）の一端より光源から入射された光は、発光体（４１）の他端まで反射伝達される。このように発光体（４１）全体に均一に導かれた光は、少なくとも一半径方向から、すなわちチューブ乃至ロッドの断面片側となる発光部位（４１ａ）側より外部に照射される。
【００１４】
前記発光体（４１）の発光部位（４１ａ）側は、導光板（５１）の一側端縁（５１ａ）に沿わせた状態で固定される。発光体（４１）から導光板（５１）の一側端縁（５１ａ）に入射した光は、板状に成形された導光板（５１）の表裏面の少なくとも一面からほぼ均一に拡散導光され、平面より外部に照射される。
【００１５】
光源より照射された光は、前記発光体（４１）から導光板（５１）に伝送される間にある程度吸収され、苗の長期間貯蔵するのに適した光質の光として照射される。導光板（５１）の光照射面（５１ｂ）は、苗の植えたトレイの側方に配設するので、苗が上方に延びるような生長を抑えることができる。
【００１６】
前記導光板（５１）は板状で平面的であり、それ自体構造的に強度も備えるため、導光板（５１）を支持するための特別な構造は必要なく、導光板（５１）自体を他の構造の支持体として利用することも可能となる。また、トレイの出し入れの際に、トレイが導光板（５１）に引っかかったり、致命的な傷を付けるような虞もない。
【００１７】
また、前記発光体（４１）はチューブ乃至ロッド状に形成され、従来一般の光ファイバに比べて大きな径を有しており、全長を必要に応じて長くしても、光源の光が発光体（４１）中を伝送される間に著しく減殺される虞はない。従って、発光体（４１）の両端から光を入射させるような必要は生じない。
【００１８】
［２］記載の苗貯蔵装置（１０）によれば、発光体（４１Ａ）は、その一端より光源から入射された光を他端より一方向に照射するという、より一般的な性質のものである。この発光体（４１Ａ）の他端のみを導光板（５１Ａ）の入射凹部（５６）に対向させた状態で固定するだけでよく、構成を簡易化することができる。ここで発光体（４１Ａ）には、例えば、発光ダイオードやレーザーダイオードのような点光源状の発光体を採用するとよい。
【００１９】
前記発光体（４１Ａ）の照射範囲は極めて限定されるが、導光板（５１Ａ）の少なくとも一側端縁（５１ａ）に、導光板（５１Ａ）内側に中央がくぼむよう少なくとも１個の前記入射凹部（５６）を形成したことにより、発光体（４１Ａ）の他端より入射される光を、導光板（５１Ａ）全体、特に入射部近傍に導光しやすい様々な入射角度で受け入れることができる。
【００２０】
前述したように、導光板（５１，５１Ａ）は板状で平面的であり、それ自体構造的に強度も備えるため、［１］および［２］記載のように、前記導光板（５１Ｂ）自体に、苗を植えたトレイを支持するための受け具（２０）を設けたことにより、導光板（５１Ｂ）を照射手段のみならずトレイの支持構造としても利用することができ、装置の構成をより簡易化することが可能となる。
【００２１】
特に、［３］記載のように、前記導光板（５１Ｂ）が、その表裏面の双方全域にわたって光を照射する場合、導光板（５１Ｂ）の表裏面にそれぞれ前記受け具（２０）を設ければ、装置内のスペースを有効に活用することができる。
【００２２】
【発明の実施の形態】
以下、図面に基づき本発明を代表する各種実施の形態を説明する。
図１〜図６は本発明の第１実施の形態を示している。
本実施の形態に係る苗貯蔵装置１０は、いわゆる接木苗を養生または健全な状態で長期間貯蔵するための装置であり、接木苗の上方への生長を適度に抑制すべく、接木苗の側方より光を照射すると共に、温湿度を調節できるように構成してある。
【００２３】
図１および図２に示すように、苗貯蔵装置１０は、箱型の本体カバー１０ａ内に、育成ケース１５と、該育成ケース１５を取り囲む収納ケース２１、それに熱交換ケース３０を内装して成る。育成ケース１５の両側方に、側方照明装置４０が配設されている。
【００２４】
本体カバー１０ａは、６面をなす断熱遮光板１１から組み立てられている。図２において、一の断熱遮光板１１には挿通孔を形成するスリーブ１２が嵌着されている。このスリーブ１２には、後述する発光体４１、あるいは各種ケーブルが挿通されている。
【００２５】
育成ケース１５は接木苗を養生または貯蔵するための部屋を成し、その各面壁は透光性を有する材質から形成されている。前面壁１６には、その全域にわたって多数の給気孔１６ａが規則正しく並ぶように穿設されている。一方、後面壁１７には、その全域にわたって多数の排気孔１７ａが規則正しく並ぶように穿設されている。ここで排気孔１７ａの開口率は、前記給気孔１６ａと同程度に設定されている。
【００２６】
育成ケース１５の両側壁１８，１８の内側には、接木苗を植えたトレイＡを略水平な状態に支持するための受け具２０が上下３段に設けられている。受け具２０は、左右一対に並ぶ細巾状の板材から成る。ここで接木苗とは、一般にはトレイＡに複数形成された凹部に植えられた丈夫な根を持つ台木の苗に、優れた形質を持つ穂木を自動接木装置等を用いて接木した苗を指す。なお、接木した苗は、台木に穂木が活着しやすいように、光および温湿度を適切な状態に一定期間保持する、いわゆる養生が必要である。
【００２７】
最上段の受け具２０，２０には、苗の植えられていないダミートレイＡ１が支持されるようになっている。このダミートレイＡ１は、最上段以外のトレイＡを同条件の光環境下におくために必要なものである。すなわち、側方照射が上方にあるトレイＡ，Ａ１の底面に反射して、下方のトレイＡ上に間接的に照射される分を考慮するためである。また、ダミートレイＡ１は、苗を植えない場合の培地の質的変化等を確認する対照実験に用いることもできる。なお、育成ケース１５の内部には、温湿度センサや光センサなどの環境プローブ２６が、支持ブラケット２５を介して中央付近に配設されている。
【００２８】
収納ケース２１は、前記育成ケース１５の各面壁を等間隔の隙間を空けて取り囲む大きさに設けられている。育成ケース１５の外壁と収納ケース２１の内壁との間は、育成ケース１５内へ温度や湿度が調整された空気を送り込み、また育成ケース１５から排出された空気を熱交換ケース３０に循環させるための通気空間２３として設定されている。なお、空気の流れる方向は、図２中にて矢印で示す。
【００２９】
前記通気空間２３には、育成ケース１５の両側壁１８，１８に対接するように側方照明装置４０が配設されている。側方照明装置４０は本発明の根幹を成すものであり、チューブ状に延びる発光体４１と、板状の導光板５１とを具備して成る。
【００３０】
図３に示すように、発光体４１は、その一端より光源から入射された光を他端まで反射伝達させ、全長にわたって断面片側（一半径方向）より発光する最近開発された素材である。詳しく言えば、透明なアウターケーシング４２内に導光フィルムから成形した発光チューブ４３を内装し、発光チューブ４３の外周片側に上方への光を下方（一半径方向）へ反射させるリフレクタフィルム４４を貼着して構成されている。
【００３１】
かかる発光体４１では、その一端から入射された光は、発光チューブ４３およびリフレクタフィルム４４に対する正反射と拡散反射を繰り返して他端側まで伝送され、その伝送過程でリフレクタフィルム４４に覆われていない発光チューブ４３の発光部位４１ａに対して、入射角度の深い光が外部に漏洩し発光するようになっている。
【００３２】
発光体４１の一端に光を入射させる光源（図示せず）としては、熱線を除去したキセノン放電ランプやマイクロ波ランプが適する。ここでマイクロ波ランプは、石英ガラス製のバルブに主に硫黄ガスを封入し、これにマグネトロンから出力させたマイクロ波を照射して発光させるものである。このようなキセノン放電ランプやマイクロ波ランプは、他の一般のランプに比べて発光効率が良く、寿命も長く、太陽光に近似した連続スペクトルの可視光を得られるという特性を有する。なお、光源および光学フィルターは装置１０外部に設けられている。
【００３３】
導光板５１は、矩形板状に成形されており、その一側端縁５１ａから入射された光を表面全域にわたってほぼ均一に拡散させて、外部に照射するものである。導光板５１に関しては各種開発されているが、具体的には例えば、図４に示すような構造のものを用いるとよい。
【００３４】
すなわち、導光板５１は、導光性に優れる透明アクリル板５２の表面に光照射用の表面光拡散フィルム５３を貼着し、裏面に光反射シート５４を貼着して成る。光反射シート５４を貼ってある透明アクリル板５２の表面が、導光板５１の光照射面５１ｂとなっている。前記導光板５１から光を入射する一側端縁５１ａを除く各端縁には、光反射テープ５５が貼着されている。
【００３５】
また、透明アクリル板５２の内部には、その一側端縁５１ａより入射された光を、全表面にわたって均一に散乱させるように、グラデーションを付けるための気泡が内装されている。このような導光板５１では、その表面、すなわち表面光拡散フィルム５３が貼られている面全体から均一に光が照射される。
【００３６】
図５および図６に示すように、導光板５１の一側端縁５１ａには発光体４１の発光部位４１ａが沿うよう固定されている。詳しく言えば、発光体４１の他端側には、クランプ４６が３個間隔をあけて締結されており、各クランプ４６の一端が取付ねじ４７により導光板５１の一側端縁５１ａに沿って固着されている。
【００３７】
以上のような側方照明装置４０は、図１に示すように、前記育成ケース１５の両側壁１８，１８に沿って、それぞれ上下２段に並ぶように配設されている。図２に示すように、側方照明装置４０の発光体４１は、本体カバー１０ａにあるスリーブ１２の挿通孔を通って装置内部に導入され、収納ケース２１の外壁を貫通して育成ケース１５と収納ケース２１との間に配されている。導光板５１はそれ自体相当の強度がある板体であるため、育成ケース１５の外壁あるいは収納ケース２１の内壁に、単に数ヶ所固着するだけで平面形状が保たれる。
【００３８】
収納ケース２１の下方には、該収納ケース２１の底部２２に連通する熱交換ケース３０が配設されている。熱交換ケース３０内には、空気の温度や湿度を調整して一定方向に送る空気調整手段３１が配設されている。空気調整手段３１は具体的には、送風機３２に、冷却器やヒータ、それに加湿器などを組み合せてなる。空気調整手段３１の構成装置の稼動は、制御装置（コンピュータ）により制御されている。
【００３９】
次に作用を説明する。
前記苗貯蔵装置１０によれば、側方照明装置４０の発光体４１の一端は本体カバー１０ａの外側に延ばされ、光源および光学フィルター（図示せず）は装置１０外部に設けられるため、装置１０内部において光源に起因する発熱対策を省くことができる。ここで光源を、熱線を除去したキセノン放電ランプやマイクロ波ランプとすれば、発光効率が良く、寿命も長く、植物に適した太陽光に近似した連続スペクトルの可視光を得ることができる。特にマイクロ波ランプは、紫外部や赤外部をほとんど含まず、点光源に近いので都合がよい。
【００４０】
発光体４１の一端より前記光源から入射された光は、発光チューブ４３およびリフレクタフィルム４４に対する正反射と拡散反射を繰り返して他端側まで伝送される。このように発光体４１全体に均一に導かれた光は、その伝送過程で、リフレクタフィルム４４に覆われていない発光チューブ４３の発光部位４１ａに対し入射角度の深い光が外部に漏洩し照射される。
【００４１】
発光体４１の発光部位４１ａ側は、導光板５１の一側端縁５１ａに沿ってクランプ４６を介して固定されており、発光体４１より導光板５１の一側端縁５１ａに光は入射される。導光板５１に入射した光は、透明アクリル板５２内のグラデーションを付けた気泡の存在により、透明アクリル板５２内を他端縁側までほぼ均等に拡散導光され、表面光拡散フィルム５３がある光照射面５１ｂ全面より外部に照射される。
【００４２】
以上のような側方照明装置４０によれば、光源より照射された光は、光源から前記発光体４１に伝送される間に光学フィルター等で適宜吸収され、接木苗を養生および長時間貯蔵するのに適した光質の光、例えば、植物の形態形成に関係の深いフィトクロームの合成と分解に関与する赤色光（Ｒ）と遠赤色光（ＦＲ）の比（Ｒ／ＦＲ）を制御した光として照射される。図１に示すように、導光板５１の光照射面５１ｂは、接木苗を植えたトレイＡの側方に配設するので、光質の効果と相俟って苗が上方に延びるような生長は抑えることができる。
【００４３】
前記導光板５１は板状で平面的であり、それ自体構造的に強度も備えるため、導光板５１を支持するための特別な構造は必要なく、導光板５１自体を他の構造の支持体として利用することも可能となる。本実施の形態では、トレイＡと導光板５１との間に育成ケース１５の側壁１８が存在するが、仮にトレイＡの直ぐ側方に導光板５１を配したとしても、トレイＡの出し入れに際して、トレイＡが導光板５１に引っかかったり、導光板５１に致命的な傷が付くような虞はない。
【００４４】
また、前記発光体４１はチューブ状に形成され、従来一般の光ファイバに比べて大きな径を有しており、一端面に反射材を装着できるので、全長を必要に応じて長くしても、光源の光が発光体４１中を伝送される間に著しく減殺される虞はない。従って、発光体４１の両端から光を入射させるような必要はなく、構成を簡易化することができる。
【００４５】
収納ケース２１内における空気は、先ず熱交換ケース３０内の空気調整手段３１によって所望の温度や湿度に調整され、送風機３２の稼動により育成ケース１５の前面壁１６側へ送られる。この調整済の空気は、前面壁１６にある多数の給気孔１６ａを通って育成ケース１５内へ吹き出される。一般に養生の場合は、接木苗の接合部からの水分蒸発を抑えるために、高湿度が要求される。
【００４６】
そして、育成ケース１５内の空気は、後面壁１７にある多数の排気孔１７ａから収納ケース２１内側に沿って排出される。このように育成ケース１５内における温度や湿度などの環境要因の分布を良好に維持することで、接木苗を養生および健全な状態で長期間貯蔵することができ、特に前記側方照明装置４０によって接木苗の生長を抑制することができる。
【００４７】
図７および図８は、本発明の第２実施の形態を示している。
本実施の形態では、側方照明装置４０Ａが前述した第１実施の形態の側方照明装置４０とは異なる。側方照明装置４０Ａも、長手方向に延びる発光体４１Ａと板状の導光板５１Ａとから成るが、これらの構成が前記発光体４１、導光板５１とは異なっている。
【００４８】
図８に示すように、発光体４１Ａはロッド状に形成されており、その一端より光源から入射された光を他端まで反射伝達させ、他端である先端部４５よりスポットライト様に一方向に照射する性質のものである。発光体４１Ａの外周面は、光を漏らさない保護膜で覆われている。
【００４９】
導光板５１Ａは前記導光板５１とほぼ同様のものであるが、一長辺ではなく一短辺が光を入射させる一側端縁５１ａとして設定されている。この導光板５１Ａの一側端縁５１ａのほぼ中央に、導光板５１Ａ内側に中央がくぼむ入射凹部５６が形成されている。
【００５０】
図７に示すように、発光体４１Ａの先端部４５は、導光板５１Ａの入射凹部５６に対向するような状態で固定されている。ここで発光体４１Ａを導光板５１Ａに直接固着させる必要はなく、図７に示すような相対位置に双方を固定すればよい。もちろん、導光板５１Ａの光照射面５１ｂも、苗を植えたトレイＡの側方に配設されることになる。
【００５１】
前述した側方照明装置４０Ａによれば、発光体４１Ａは、その一端より光源から入射された光を他端の先端部４５から照射するという、より一般的な性質のものを利用できる。この発光体４１Ａの先端部４５のみを導光板５１Ａの入射凹部５６に対向させた状態で固定するだけでよく、構成を簡易化することができる。
【００５２】
前記発光体４１Ａの照射範囲は極めて限定されるが、導光板５１Ａの一側端縁５１ａに、導光板５１Ａ内側に中央がくぼむように前記入射凹部５６を形成したことにより、発光体４１Ａの先端部４５より入射される光を、導光板５１Ａ全体、特に入射部近傍に導光しやすい様々な入射角度で受け入れることができる。
【００５３】
なお、本実施の形態では、発光体として、例えば、発光ダイオードやレーザーダイオードのような点光源状の発光体を採用してもよい。また、入射凹部５６は一側端縁５１ａに１個だけ設けたが、複数設けてもよく、設ける位置も一側端縁５１ａのみに限定されるものではない。
【００５４】
図９は、本発明の第３実施の形態を示している。
本実施の形態では、導光板５１Ｂが表裏面の双方の全域にわたって外部に光を照射するもの、すなわち、図４に示す透明アクリル板５２の表裏双方に表面光拡散フィルム５３を貼着して成るものである。この導光板５１Ｂは、大型の貯蔵室内を仕切る間仕切り板として構成されて、導光板５１Ｂ自体の表裏面に、接木苗を植えたトレイＡを支持するための受け具２０が所定間隔おきに連設されている。
【００５５】
前述したように、導光板５１Ｂは板状で平面的であり、それ自体構造的に強度も備える。従って、本実施の形態のように、導光板５１Ｂ自体に、トレイＡを支持するための受け具２０を設ければ、導光板５１Ｂを側方照明手段のみならず、トレイＡの支持構造としても利用することができ、装置の構成をより簡易化することが可能となる。
【００５６】
特に、第３実施の形態のように、前記導光板５１Ｂが、その表裏面の双方全域にわたって光を照射する場合、導光板５１Ｂの表裏面にそれぞれ前記受け具２０を設けることにより、装置内のスペースを有効に活用することができる。なお、前記第２，３実施の形態において、第１実施の形態と同種の部位には同一符号を付し、重複した説明を省略する。
【００５７】
なお、本発明に係る苗貯蔵装置は、前述した各種実施の形態に限定されるものではない。例えば、前記第１実施の形態では、導光板５１を、トレイの側方、すなわち育成ケース１５の両側に左右２段に配設したが、導光板５１の具体的な大きさに応じて、その数や位置は適宜定めればよい。また、前記実施の形態においては、苗貯蔵実験用の比較的小型に構成されたものを示したが、大きな貯蔵庫として構成してもよい。
【００５８】
【発明の効果】
本発明に係る苗貯蔵装置によれば、光源より照射された光は、発光体乃至導光板を伝送された後、導光板の表裏面の少なくとも一面から、苗の養生および貯蔵するのに適した光質の光として、苗の側方より照射されるから、苗を健全かつ生長をなるべく抑制した状態で長期間貯蔵することができる。
【００５９】
ここで前記導光板は板状で平面的であり、それ自体構造的に強度も備えるため、導光板を支持するための特別な構造は必要なく、導光板自体を他の構造の支持体として利用することも可能となる。また、トレイの出し入れの際に、トレイが導光板に引っかかったり、致命的な傷を付けるような虞もない。
【００６０】
また、前記発光体はチューブ乃至ロッド状に形成され、従来一般の光ファイバに比べて大きな径を有しており、全長を必要に応じて長くしても、光源の光が発光体中を伝送される間に著しく減殺される虞はなく、従って、発光体の両端から光を入射させるような必要も生じない。
【００６１】
さらに、前記導光板自体に、苗を植えたトレイを支持するための受け具を設けたことにより、導光板を照射手段のみならずトレイの支持構造としても利用することができ、装置の構成をより簡易化することが可能となる。
【図面の簡単な説明】
【図１】本発明の第１実施の形態に係る苗貯蔵装置を正面側から見た断面図である。
【図２】本発明の第１実施の形態に係る苗貯蔵装置を側面側から見た断面図である。
【図３】本発明の第１実施の形態に係る苗貯蔵装置を構成する発光体を示す斜視図である。
【図４】本発明の第１実施の形態に係る苗貯蔵装置を構成する導光板を示す斜視図である。
【図５】本発明の第１実施の形態に係る苗貯蔵装置を構成する発光体と導光板を組み合わせた状態を示す正面図である。
【図６】本発明の第１実施の形態に係る苗貯蔵装置を構成する発光体と導光板を組み合わせた状態を示す端面図である。
【図７】本発明の第２実施の形態に係る苗貯蔵装置を構成する発光体と導光板を組み合わせた状態を示す正面図である。
【図８】本発明の第２実施の形態に係る苗貯蔵装置を構成する発光体を示す斜視図である。
【図９】本発明の第３実施の形態に係る苗貯蔵装置の要部を模式的に示す正面図である。
【図１０】従来例の育苗装置を示す斜視図である。
【符号の説明】
Ａ…トレイ
１０…苗貯蔵装置
１０ａ…本体カバー
１１…断熱遮光板
１２…スリーブ
１５…育成ケース
１６…前面壁
１６ａ…給気孔
１７…後面壁
１７ａ…排気孔
２０…受け具
２１…収納ケース
２３…通気空間
３０…熱交換ケース
３１…空気調整手段
３２…送風機
４０…側方照明装置
４０Ａ…側方照明装置
４１…発光体
４１ａ…発光部位
４１Ａ…発光体
４２…アウターケーシング
４３…発光チューブ
４４…リフレクタフィルム
４５…先端部
４６…クランプ
４７…取付ねじ
５１…導光板
５１ａ…一側端縁
５１ｂ…光照射面
５１Ａ…導光板
５１Ｂ…導光板
５２…透明アクリル板
５３…表面光拡散フィルム
５４…光反射シート
５５…光反射テープ
５６…入射凹部
【図１】
0003926911.tif 000002
【図２】
0003926911.tif 000003
【図３】
0003926911.tif 000004
【図４】
0003926911.tif 000005
【図５】
0003926911.tif 000006
【図６】
0003926911.tif 000007
【図７】
0003926911.tif 000008
【図８】
0003926911.tif 000009
【図９】
0003926911.tif 000010
【図１０】
0003926911.tif 000011